(57)【要約】【課題】  光を広角に反射でき、見る方向によって暗くなり難い広角反射体を提供する。【解決手段】  広角反射体１０は、屈折率１．４９〜１．９０の透明ビーズが透明なバインダーに保持された表面層２と、前記表面層２の裏面側に設けられた、光の一部又は全部を反射する反射層５と、を有し、前記表面層２と前記反射層５の間に、前記透明ビーズの屈折率よりも低い屈折率を有する透明な層６が介在されている。前記透明な層６は、例えば、透明基材３及び透明デザイン印刷層４である。【選択図】  図２
2013210468.tif 000002
【特許請求の範囲】
【請求項１】
屈折率１．４９〜１．９０の透明ビーズが透明なバインダーに保持された表面層と、前記表面層の裏面側に設けられた、光の一部又は全部を反射する反射層と、を有し、
前記表面層と前記反射層の間に、前記透明ビーズの屈折率よりも低い屈折率を有する透明な層が介在されている、光を広角に反射可能な広角反射体。
【請求項２】
前記透明な層が、透明基材、透明デザイン印刷層及び透明メジウム印刷層から選ばれる少なくとも１つである、請求項１に記載の広角反射体。
【発明の詳細な説明】
【技術分野】
【０００１】
本発明は、透明ビーズを含み、光を広角に反射できる広角反射体に関する。
【背景技術】
【０００２】
従来、金属蒸着膜のような反射層を有し、当たった光を強く反射できる広角反射体が知られている。このような光を反射できる広角反射体は、装飾目的のラベル、情報表示板などに用いられている。
特許文献１には、再帰反射性ビーズを用いた再帰反射体が開示されている。
しかしながら、このような再帰反射体は、入射した光が再び入射方向へ帰るため、光の入射側から見ると非常に明るく見えるが、その以外の側から見ると、暗く見える。
このように、前記再帰反射体は、ある方向から見ると明るく見え、ある方向から見ると暗く見えるので、宣伝広告を兼ねる装飾目的のラベルには適さない。
【先行技術文献】
【特許文献】
【０００３】
【特許文献１】特開２００４−０２１１２９号公報
【発明の概要】
【発明が解決しようとする課題】
【０００４】
本発明の目的は、光を広角に反射でき、見る方向によって暗くなり難い広角反射体を提供することである。
【課題を解決するための手段】
【０００５】
本発明の広角反射体は、屈折率１．４９〜１．９０の透明ビーズが透明なバインダーに保持された表面層と、前記表面層の裏面側に設けられた、光の一部又は全部を反射する反射層と、を有し、前記表面層と前記反射層の間に、前記透明ビーズの屈折率よりも低い屈折率を有する透明な層が介在されている。
【０００６】
前記透明な層が、透明基材、透明デザイン印刷層及び透明メジウム印刷層から選ばれる少なくとも１つである。
【発明の効果】
【０００７】
本発明の広角反射体は、入射した光を広角に反射できる。かかる広角反射体は、見る方向によって暗くなり難い。
【図面の簡単な説明】
【０００８】
【図１】本発明の１つの実施形態に係るラベル（広角反射体）の平面図。
【図２】図１のＩＩ−ＩＩ線で切断した断面図。
【図３】他の実施形態（第１変形例）に係るラベルの断面図。
【図４】更なる他の実施形態（第２変形例）に係るラベルの断面図。
【図５】更なる他の実施形態（第３変形例）に係るラベルの断面図。
【図６】更なる他の実施形態（第４変形例）に係るラベルの断面図。
【図７】更なる他の実施形態（第５変形例）に係るラベルの断面図。
【図８】本発明の他の実施形態に係る広角反射体の正面図。
【発明を実施するための形態】
【０００９】
以下、本発明の具体的な実施態様について適宜図面を参照しつつ説明する。
本明細書において、「ＰＰＰ〜ＱＱＱ」という記載は、ＰＰＰ以上ＱＱＱ以下を意味する。
なお、各図に表された部材及び部分の形状、寸法及び縮尺比は、実際のものとは異なっていることに留意されたい。
【００１０】
図１及び図２において、本実施形態の広角反射体１０は、平面視所定形状に形成されたラベル１である。
このラベル１は、表面層２と、反射層５と、を有し、表面層２と反射層５の間には、透明な層６が介在している。
透明な層６は、好ましくは、透明デザイン印刷層及び透明メジウム印刷層から選ばれる少なくとも１つを含む。
本実施形態では、前記透明な層６は、透明基材３及び透明デザイン印刷層４から構成されている。前記透明な層６は、透明ビーズの屈折率（１．４９〜１．９０）よりも低い屈折率を有する。
【００１１】
ここで、本明細書において、透明とは、可視光を透過する性質を有することを意味する。また、透明は、実質的に可視光を吸収せず、可視光域の全ての波長の光を透過する場合（以下、無色透明という）、及び、可視光域の一部の波長の光を吸収し、且つその波長以外の光を透過する場合（以下、有色透明という）を含む。
前記無色透明という場合の可視光線透過率は、８０％以上、好ましくは８５％以上、より好ましくは９５％以上である。
前記有色透明という場合の可視光線透過率は、５０％以上、好ましくは７０％以上、より好ましくは８０％以上である。
【００１２】
本明細書において、不透明とは、少なくとも可視光を実質的に透過しない性質を有することを意味する。
前記不透明という場合の可視光線透過率は、１０％以下、好ましくは５％以下である。
ただし、本明細書において、可視光線透過率は、ＪＩＳ  Ｋ  ７１０５−１９８１（プラスチックの光学的特性試験方法）に準じて測定できる。
【００１３】
具体的には、ラベル１は、表面側から裏面側に向かって、表面層２、透明基材３、透明デザイン印刷層４、反射層５、粘着層７の順で積層されている。
なお、本明細書において、ある部材又は部分の、表面側は、断面図（図２など）において上側を、裏面側は、同断面図において下側を指す。
【００１４】
表面層２は、透明ビーズ２１と、その透明ビーズ２１を保持する透明なバインダー２２とからなり、透明なバインダーの屈折率は、１．４９〜１．９０である。
前記表面層２において、透明ビーズ２１は透明なバインダー２２に保持されている。透明ビーズ２１は、透明基材３の表面に接するようにして並べられ、前記バインダー２２にて固定されている。
【００１５】
透明ビーズ２１は、その全体がバインダー２２中に埋没していてもよいし（図示せず）、透明ビーズ２１の表面側の一部がバインダー２２から露出していてもよい（図２参照）。透明ビーズ２１の上端が表面層２の厚み方向において揃っていることが好ましいので（各透明ビーズ２１の上端を結んだ仮想線が略直線を成すように透明ビーズ２１を表面層２内に配置することが好ましいので）、透明ビーズ２１の表面側の一部がバインダー２２から露出するようにバインダー２２中に透明ビース２１を設けることが好ましい。
【００１６】
透明ビーズ２１の一部が露出している場合、その露出の程度は、透明ビーズ２１の表面積の１％〜５０％程度が好ましく、５％〜３０％がより好ましい。透明ビーズ２１の露出面積があまりに大きいと、バインダー２２による保持が不十分となり、透明ビーズ２１が脱落するおそれがある。
なお、透明ビーズ２１の一部が露出している場合、透明ビーズ２１の脱落を防止するため、表面層２の表面に、無色透明なオーバーコート層（図示せず）を薄く設けてもよい。このオーバーコート層としては、バインダー２２と同様な屈折率を有するものが用いられ、好ましくは、バインダー２２と同種の樹脂が用いられる。
【００１７】
透明ビーズ２１は、図２に示すように、ラベル１の厚み方向に１列且つラベルの面方向に配設されている。
透明ビーズ２１の占める割合は、特に限定されないが、好ましくは、５０％以上であり、より好ましくは７０％以上である。前記割合は、図１のように、ラベルの表面から見て、表面層２の表面の面積に対して全ての透明ビーズ２１の占める面積（つまり、透明ビーズ２１を平面的に見たときの面積の総和）の比率である。
【００１８】
透明ビーズ２１の材質は、少なくとも可視光を透過できる材料であれば特に限定されない。
透明ビーズ２１の材質としては、例えば、メタクリル酸メチル樹脂、アクリル酸メチル樹脂などのアクリル系樹脂、ノルボルネン樹脂などの環状ポリオレフィン系樹脂、ポリエステル系樹脂、ポリカーボネート系樹脂、ポリスルホン系樹脂、ポリアリレート系樹脂などの合成樹脂；ガラスなどの無機材料；などが挙げられる。これらの中では、アクリル系樹脂が好ましく、特に、メタクリル酸メチル樹脂がより好ましい。
【００１９】
透明ビーズ２１は、有色透明でもよいが、デザイン印刷層のデザインを表示する色彩と混じり合わないようにするため、無色透明であることが好ましい。
また、透明ビーズ２１の屈折率は、広角に光を反射するために、１．４９〜１．９０でるが、さらに、１．４９〜１．６５が好ましい。
屈折率は、ＪＩＳ  Ｋ  ７１４２（プラスチックの屈折率測定法）に準じて測定できる。
【００２０】
透明ビーズ２１は、広角に光を反射するために、略球状の透明ビーズ２１を用いることが好ましい。
もっとも、略球状の透明ビーズ２１と略球状以外の形状の透明ビーズが、混合されていてもよい。この場合、略球状の透明ビーズ２１と略球状以外の形状の透明ビーズの比率は、例えば、９５：５〜９９．９〜０．１（質量比）である。略球状の透明ビーズ２１を多量に含んでいることにより、広角に光を反射できる。
略球状以外の形状としては、楕円球状、扁平状、略立方体状などの非球状、その他の不定形状などが挙げられる。
【００２１】
透明ビーズ２１の大きさも特に限定されない。透明ビーズ２１の大きさは、例えば、平均粒径３μｍ〜１００μｍであり、好ましくは、２０μｍ〜８０μｍであり、より好ましくは、３０μｍ〜６０μｍである。
透明ビーズ２１は、粒径の異なるものが混じっていてもよいが、好ましくは、均一な粒径が透明ビーズが用いられる。均一粒径の透明ビーズ２１とは、粒径誤差が±５％の範囲を含み、好ましくは、粒径誤差が±２％の範囲を含む。
前記粒径は、ＣＣＤカメラを用いた観察によって測定できる。
【００２２】
バインダー２２は、透明な樹脂であれば特に限定されず、例えば、非晶性ポリエステル樹脂、ポリプロピレン樹脂、アクリル樹脂、シリコーン樹脂、ウレタン樹脂、ポリカーボネート樹脂などが挙げられる。また、バインダー２２には、例えば、紫外線吸収剤、安定化剤、劣化防止剤、分散剤、帯電防止剤などの添加剤が配合されていてもよい。
【００２３】
バインダー２２の屈折率は、輝度の低下を抑制するため、透明ビーズ２１の屈折率よりも低いことが好ましくい。輝度の低下を抑制するため、バインダー２２の屈折率は、例えば、１．０〜１．６であり、好ましくは、１．０５以上１．４９未満である。
バインダー２２は、有色透明でもよいが、デザイン印刷層のデザインを表示する色彩と混じり合わないようにするため、無色透明であることが好ましい。
【００２４】
表面層２の厚みは、特に限定されないが、３μｍ〜１０５μｍであり、好ましくは２０μｍ〜８５μｍである。
ただし、透明ビーズ２１の一部が露出している表面層２においては、その厚みは、透明ビーズ２１の露出部分の上端から表面層２の裏面までの長さに相当する。
【００２５】
透明な層６の屈折率は、透明ビーズ２１の屈折率よりも低ければ特に限定されないが、例えば、１．６以下であり、好ましくは、１．０〜１．６であり、より好ましくは１．０５以上１．４９未満である。
透明な層６の厚みは、特に限定されないが、例えば、１μｍ〜４０μｍであり、好ましくは、２μｍ〜３０μｍであり、より好ましくは、３μｍ〜２０μｍである。透明な層６の厚みが４０μｍを超えると、輝度が低下し、１μｍ未満では、広角反射性が低下するおそれがある。
もっとも、透明基材３が透明な層６の一部を成す本実施形態においては、透明な層６の下限値は、前記で示した下限値よりも大きくなる。
【００２６】
前記透明基材３は、透明なものであれば特に限定されず、例えば、 ポリスチレンなどのスチレン系樹脂；ポリエチレンテレフタレート、ポリ乳酸などのポリエステル系樹脂；ポリプロピレン、環状オレフィンなどのオレフィン系樹脂；ポリカーボネート；塩化ビニル系樹脂などの熱可塑性樹脂からから選ばれる１種単独、又は２種以上の混合物が挙げられる。
【００２７】
前記透明基材３は、フィルム状に形成されている。
透明基材３は、有色透明でもよいが、透明デザイン印刷層４のデザインを表示する色彩と混じり合わないようにするため、無色透明であることが好ましい。
透明基材３の屈折率は、輝度を向上させ且つ広角に光を反射するために、透明ビーズ２１の屈折率よりも小さいことが好ましい。前記透明基材３の屈折率は、例えば、１．０〜１．６であり、好ましくは、１．０５以上１．４９未満である。透明基材３の屈折率は、透明ビーズ２１の屈折率と同様な方法で測定できる。
フィルム状の透明基材３の厚みは、特に限定されないが、例えば、１０μｍ〜４０μｍ、好ましくは、１０μｍ〜３０μｍである。
【００２８】
透明デザイン印刷層４は、公知の印刷インキにより、所望のデザインが表された層である。
透明デザイン印刷層４は、その一部又は全部が有色透明である。一部が有色透明である透明デザイン印刷層４は、その有色透明以外の部分が無色透明とされている。
透明デザイン印刷層４の有色透明の部分は、可視光域の一部の波長の光を透過することにより、所定の色彩を表示する。この有色透明の部分がデザインの表示部分となる。
【００２９】
透明デザイン印刷層４の有色透明の部分は１色でもよいが、２以上の色彩が表示されるように、透明デザイン印刷層４には、異なる色彩の２以上の有色透明の部分が設けられる。
透明デザイン印刷層４は、公知の印刷インキの単色塗り又は多色塗りによって形成できる。
【００３０】
透明デザイン印刷層４の屈折率は、輝度を向上させ且つ広角に光を反射するために、透明ビーズ２１の屈折率よりも小さいことが好ましい。例えば、透明デザイン印刷層４の屈折率は、例えば、１．０〜１．６であり、好ましくは、１．０５以上１．４９未満である。透明デザイン印刷層４の屈折率は、透明ビーズ２１の屈折率と同様な方法で測定できる。
透明デザイン印刷層４の厚みは、特に限定されないが、例えば、０．１μｍ〜３μｍである。
【００３１】
反射層５は、不透明で且つ少なくとも可視光域の全ての波長の光又は一部の光を反射する層である。
反射層５が、可視光域の一部の波長のみを反射する場合、その波長以外の波長の光は、反射層５に吸収される。
また、反射層５の表面（表面層２に対向する側の面）は、平滑面とされていることが好ましい。
【００３２】
反射層５は、金属蒸着膜、前記光を反射できる反射インキの塗膜、反射フィルムなどによって構成されている。
前記金属蒸着膜としては、例えば、チタン、ニッケル、銅、銀、亜鉛、アルミニウム、スズなどの蒸着膜が挙げられ、好ましくはアルミニウム蒸着膜である。
【００３３】
前記反射インキは、可視光の一部又は全部を反射する顔料と、ビヒクルとして樹脂成分と、を含む。
前記顔料としては、銅、銀、亜鉛、アルミニウム、鉄、チタンなどの金属色を呈する金属微粒子；酸化チタン、酸化亜鉛、アルミナ、炭酸カルシウム、硫酸バリウムなどの白色を呈する無機微粒子；任意の色彩を呈する有機又は無機顔料；などが挙げられる。光の反射性に優れていることから、反射インキは、二酸化チタンを含むことが好ましい。
反射インキの二酸化チタンの配合量は特に限定されないが、余りに少ないと光反射効果を得られず、一方、余りに多いと、相対的に樹脂成分が少なくなり、反射層５が脆くなる。このような観点から、二酸化チタンの配合量は、反射層５（反射インキの塗膜）１００質量％に対して、２０質量％〜６０質量％が好ましい。
【００３４】
二酸化チタンは、ルチル型又はアナターゼ型のいずれでもよいが、アナターゼ型が好ましい。
ルチル型酸化チタンとしては、公知のものを使用することができる。ルチル型酸化チタンは市販品を用いることができ、例えば、堺化学（株）製の、Ｒ−４５Ｍ、Ｒ−３２、Ｒ−５Ｎなどを使用することができる。
また、アナターゼ型酸化チタンとしては、公知のものを使用することができる。アナターゼ型酸化チタンは市販品を用いることができ、例えば、堺化学（株）製の、Ａ−１９０、Ａ−１９７などを使用することができる。
【００３５】
反射インキの樹脂成分としては、ウレタン−アクリレート系、エポキシアクリレート系、ポリエステル−アクリレート系などの紫外線硬化型樹脂；アクリル樹脂、酢酸ビニル共重合体などの熱可塑性樹脂；尿素系などの熱硬化性樹脂；などが挙げられる。
前記反射フィルムとしては、紙、合成紙、乳白色合成樹脂フィルムなどの白色フィルムなどが挙げられる。
【００３６】
前記反射層５が反射インキの塗膜から構成される場合、その厚みは、例えば、０．５μｍ〜１０μｍであり、好ましくは１μｍ〜５μｍである。
前記反射層５が金属蒸着膜から構成される場合、その厚みは、例えば、０．０１μｍ〜０．３μｍであり、好ましくは０．０１μｍ〜０．１μｍである。
前記反射層５が白色フィルムから構成される場合であって、その白色フィルムが合成紙又は乳白色合成樹脂フィルムである場合、その厚みは、例えば、２０μｍ〜５０μｍである。
【００３７】
粘着層７は、公知の感圧型粘着剤、感熱型粘着剤によって形成できる。
感圧型粘着剤は、常温で粘着性を有する粘着剤であり、例えば、アクリル系、ウレタン系、ゴム系などの粘着剤などが挙げられる。
感熱型粘着剤は、常温で粘着性を有さず、所定温度（例えば、７０℃〜１２０℃程度）に加熱することで粘着性を発現する粘着剤であり、ディレードタック型感熱粘着剤、ホットメルト型粘着剤などが挙げられる。
【００３８】
上記ラベル１は、その表面層２に入射した光が広角に反射する。本発明のラベル１は、再帰反射性でなく、入射した光を広角に反射するので、見る方向によって暗くなり難い。
本発明によれば、きらきらと輝いた装飾性に優れたラベル１を提供できる。
【００３９】
次に、本発明の広角反射体の他の実施形態を説明する。ただし、下記他の実施形態の説明に於いて、主として上記実施形態と異なる構成及び効果について説明し、上記実施形態と同様の構成などについては、その説明を省略し、用語及び符号を援用する。
【００４０】
図３乃至図７は、それぞれ他の実施形態に係るラベル（広角反射体）の断面図を示す。これらのラベルの断面図は、図１のＩＩ−ＩＩ線と同様な方向で切断した断面図である。なお、これらの図は、透明ビーズ２１の全体がバインダー２２中に埋没された状態で表している。
【００４１】
図３に示す第１変形例に係るラベル１は、表面側から裏面側に向かって、表面層２、透明デザイン印刷層４、反射層５、透明基材３、粘着層７の順で積層されている。
この実施形態においては、表面層２と反射層５との間に介在される透明な層６が、透明デザイン印刷層４のみから構成されている。
【００４２】
この第１変形例の場合、透明な層６が透明デザイン印刷層４のみから構成されているので、その透明デザイン印刷層４の厚みは、上記関係式１に従い、適宜設定される。
もっとも、印刷によって形成する透明デザイン印刷層４は、肉厚状に形成し難いため、第１変形例のラベル１の透明デザイン印刷層４の厚みは、例えば１μｍ〜１０μｍであり、好ましくは、２μｍ〜１０μｍである。
なお、第１変形例において、透明基材３に代えて、不透明な基材を用いてもよい。反射層５の裏面側に設けられる層又は部材は、特に透明性が要求されるわけではないからである。このような理由から、粘着層７などの反射層５の裏面側に設けられる層又は部材は、不透明でもよいし或いは透明でもよい（このことは、第１変形例に限られず、本発明の各実施形態に適用される）。
【００４３】
図４に示す第２変形例に係るラベル１は、表面側から裏面側に向かって、表面層２、透明メジウム印刷層８、透明デザイン印刷層４、反射層５、透明基材３、粘着層７の順で積層されている。
透明メジウム印刷層８は、無色透明な印刷層である。透明メジウム印刷層８は、メジウムインキの塗膜からなる。
【００４４】
このメジウムインキは、実質的に顔料などの着色剤を含まないインキである。メジウムインキとしては、例えば、水又は水とアルコールに、アクリル樹脂、アクリル共重合体、ポリエステル系樹脂、ウレタン樹脂、水性ポリアミド樹脂などを分散させた水性エマルジョンインキ；トルエン、メチルエチルケトン、酢酸エチル、イソプロピルアルコールなどの有機溶剤に、ロジン、ケトン樹脂、塩化ビニル樹脂、塩化ビニル−酢酸ビニル共重合体、アクリル樹脂、ウレタン樹脂、アクリル−ウレタン共重合体、ポリエステル樹脂などを溶解させた油性インキ；などが挙げられる。
透明メジウム印刷層８の屈折率は、透明デザイン印刷層４の屈折率と同様な範囲が好ましい。
また、透明メジウム印刷層８の厚みは、特に限定されないが、例えば、１μｍ〜１０μｍであり、好ましくは、２μｍ〜１０μｍである。
【００４５】
この第２変形例においては、表面層２と反射層５との間に介在される透明な層６が、透明メジウム印刷層８及び透明デザイン印刷層４から構成されている。
【００４６】
図５に示す第３変形例に係るラベル１は、デザインを表示するためのデザイン印刷層として、透明デザイン印刷層を有さず、その代わりに、不透明デザイン印刷層が設けられている。
【００４７】
具体的には、このラベル１は、表面層２、透明基材３、不透明デザイン印刷層４１、粘着層７の順で積層されている。
この第３変形例においては、表面層２と反射層５との間に介在される透明な層６が、透明基材３のみから構成されている。また、不透明デザイン印刷層４１が、反射層５を構成している。不透明デザイン印刷層４１は、上記実施形態において例示した反射インキを用いて、所望のデザインが表示された層である。
【００４８】
なお、上記各実施形態のラベル１は、いずれも最裏面側に粘着層７が設けられているが、粘着層７を有さないラベル１であってもよい。
例えば、図６に示す第４変形例に係るラベル１は、表面側から裏面側に向かって、表面層２、透明基材３、透明デザイン印刷層４、反射層５の順で積層されている。この第４変形例のラベル１は、粘着層７が設けられていない点を除いて、図２に示すラベル１と同一の層構成である。なお、特に図示しないが、上記第１変形例、第２変形例及び第３変形例のラベル１についても、粘着層７を省略可能である。
【００４９】
上記第１変形例乃至第４変形例の透明な層６は、透明基材、透明デザイン印刷層及び透明メジウム印刷層から選ばれる少なくとも１つで構成するように適宜変更可能である。
【００５０】
また、上記実施形態及び変形例のラベル１は、いずれも反射層５を有しているが、図７に示すように、ラベル１１が、反射層を有さず、表面層２と、表面層２の裏面側に設けられた透明な層６と、から構成されていてもよい。
なお、図７に示す第５変形例では、透明な層６は、上記透明基材３及び透明デザイン印刷層４からなるが、この構成例の場合も、透明な層６は、透明基材、透明デザイン印刷層及び透明メジウム印刷層から選ばれる少なくとも１つで構成されていてもよい。
【００５１】
第５変形例のような、反射層を有さないラベル１１を、上記反射層５と同等な光反射性を有する部材の表面に、透明な粘着剤又は接着剤を用いて貼付することにより、本発明の広角反射体１０を構成できる。
【００５２】
例えば、図８に示すように、光反射性を有する部材として、金属製の容器９を用い、その金属製の容器９の表面側に透明な層６を向けて、第５変形例のラベル１を貼付することにより、表面層２と、透明な層６と、反射層（この場合、金属製の容器９が反射層に相当する）と、が順に積層された広角反射体１０を構成できる。
【００５３】
また、上記では、本発明の広角反射体１０をラベル又は容器に適用する場合を例示したが、本発明の広角反射体１０は、ラベルや容器の用途に限られず、各種の印刷シート、包装箱、安全表示具、ステッカーなどに適用できる。
【符号の説明】
【００５４】
１，１１…ラベル、２…表面層、２１…透明ビーズ、２２…バインダー、３…基材、４…デザイン印刷層、５…反射層、６…透明な層、７…粘着層、８…透明メジウム印刷層、９…容器、１０…広角反射体
【図１】
2013210468.tif 000003
【図２】
2013210468.tif 000004
【図３】
2013210468.tif 000005
【図４】
2013210468.tif 000006
【図５】
2013210468.tif 000007
【図６】
2013210468.tif 000008
【図７】
2013210468.tif 000009
【図８】
2013210468.tif 000010